(57)【要約】      （修正有）【課題】座部の昇降をバッテリーによる電力でモータポンプを駆動し、バッテリー容量が低下した時には足踏み操作により油圧シリンダを昇降させるようにした理美容椅子等の昇降装置を提供する。【解決手段】操作杆１を踏み込むことで足踏みポンプ４におけるピストンロッド４１の下部に滞留している油を昇降用シリンダ７に送給してロッド７１を上昇させ、操作杆１を開放してピストンロッド４１が戻り油タンク５よりの油がピストンロッド４１の下部に滞留することでロッド７１を徐々に上昇させる足踏み式昇降装置であって、昇降用シリンダ７におけるロッド７１への油吸入孔７４と、油タンク５と連通している油排出孔６１ｂの間にバッテリーの電力で駆動するモータポンプ８を接続すると共にモータポンプ８の油排出口側に油の逆流を防止するための逆止弁８１を設け、モータポンプ８とバッテリーとの間に操作杆１の踏み込むことでオンとなるスイッチ９を接続した。【選択図】図１
2011245204.tif 000002
【特許請求の範囲】
【請求項１】
操作杆を踏み込むことで足踏みポンプにおけるピストンロッドの下部に滞留している油を昇降用シリンダに送給してロッドを上昇させ、かつ、操作杆を開放してピストンロッドが戻り油タンクよりの油がピストンロッドの下部に滞留することで前記ロッドを徐々に上昇させる足踏み式昇降装置であって、前記昇降用シリンダにおけるロッドへの油吸入孔と、前記油タンクと連通している油排出孔の間にバッテリーの電力で駆動するモータポンプを接続すると共に前記モータポンプの油排出口側に油の逆流を防止するための逆止弁を設け、かつ、前記モータポンプとバッテリーとの間に前記操作杆の踏み込むことでオンとなるスイッチを接続したことを特徴とする理美容椅子等の昇降装置。
【請求項２】
前記バッテリーの電圧が予め設定した電圧以下になると前記モータポンプへの通電を阻止するバッテリー過放電防止回路を設けたことを特徴とする請求項１記載の理美容椅子等の昇降装置。
【発明の詳細な説明】
【技術分野】
【０００１】
本発明は、理美容椅子や歯科用椅子等の座部を昇降させる装置であって、座部の昇降をバッテリーによる電力でモータポンプを駆動して行い、バッテリー容量が低下した時には足踏み操作によって油圧シリンダを昇降させるようにした理美容椅子等の昇降装置に関する。
【背景技術】
【０００２】
従来におけるバッテリーを駆動源として座部を昇降させるものとして、例えば、実公平６−４９２２６号公報に開示された技術がある。この技術はバッテリーを椅子の座部裏面に着脱自在に取付け、該バッテリーの電力でモータを駆動して座部の昇降を行なうものである。
【先行技術文献】
【特許文献】
【０００３】
【特許文献１】実公平６−４９２２６号公報
【発明の概要】
【発明が解決しようとする課題】
【０００４】
ところで、前記した文献の技術にあっては、１日の作業においてバッテリーの容量が低下して座部の昇降が行なえなくことを防止するために大容量のバッテリーを用意することが考えられるが、大容量のバッテリーは大きく椅子の近傍に配置することが難しく、また、重量が重いため容量が低下したバッテリーとの交換を女子が行なうことに問題があった。
【０００５】
また、小型のバッテリーを使用すると共に予備のバッテリーを用意した場合には、少なくとも２個のバッテリーを予備として保管することも考えられるが、予備のバッテリーの保管が面倒であり、かつ、コストが高くなるといった問題があり、また、１つのバッテリーしか使用しない場合には、バッテリーの容量が低下して充電する時間は座部の昇降が行なえないといった問題があった。
【０００６】
本発明は前記した問題点を解決せんとするもので、その目的とするところは、座部を昇降する手段として操作杆を踏み込むことで座部を昇降させる昇降用シリンダ内に断続的に油を供給し昇降用シリンダのロッドを上昇させ、あるいは、操作杆を踏み込みスイッチをオン状態とすることでバッテリーを電源とするモータポンプによって昇降用シリンダ内に連続的に油を供給して昇降用シリンダのロッドを上昇させることで、バッテリーの容量がバッテリーの電圧が予め設定した電圧以下となるまでは操作杆を踏み込むだけで昇降させることが可能であり、また、バッテリー電圧が低下した時には前記足踏み式の昇降装置を操作して座部の昇降が行なえるようにした理美容椅子等の昇降装置を提供せんとするにある。
【課題を解決するための手段】
【０００７】
本発明の理美容椅子等の昇降装置は前記した目的を達成せんとするもので、請求項１の手段は、操作杆を踏み込むことで足踏みポンプにおけるピストンロッドの下部に滞留している油を昇降用シリンダに送給してロッドを上昇させ、かつ、操作杆を開放してピストンロッドが戻り油タンクよりの油がピストンロッドの下部に滞留することで前記ロッドを徐々に上昇させる足踏み式昇降装置であって、前記昇降用シリンダにおけるロッドへの油吸入孔と、前記油タンクと連通している油排出孔の間にバッテリーの電力で駆動するモータポンプを接続すると共に前記モータポンプの油排出口側に油の逆流を防止するための逆止弁を設け、かつ、前記モータポンプとバッテリーとの間に前記操作杆の踏み込むことでオンとなるスイッチを接続したことを特徴とする。
【０００８】
請求項２の手段は、前記した請求項１において、前記バッテリーの電圧が予め設定した電圧以下になると前記モータポンプへの通電を阻止するバッテリー過放電防止回路を設けたことを特徴とする。
【発明の効果】
【０００９】
本発明は前記したように、足踏み式昇降装置における昇降用シリンダにおけるロッドへの油注入口と、前記油タンクとの油排出口との間にバッテリーの電力で駆動するモータポンプを接続し、該モータポンプとバッテリーとの間に前記操作杆の踏み込むことでオンとなるスイッチを接続したことにより、足踏み式昇降装置の操作杆を踏み込むことでモータポンプよりの油によって前記ロッドを連続的に上昇させることができ、従って、バッテリーの電圧が所定電圧に低下するまでは施術者にとって面倒な足踏み、開放を繰り返す必要がなく、かつ、被施術者にとっても連続的に上昇することから違和感を与えることなく、また、ロッドの下降時に油が停止状態のモータポンプに逆流することがなく、かつ、被施術者にとっても連続的に昇降することから違和感を与えることない。
【００１０】
さらに、バッテリー過放電防止回路によってバッテリー電圧が予め設定された電圧以下となった場合には、操作杆によってスイッチがオン状態となってもモータポンプへの通電を遮断するようにしたので、バッテリーの過放電によるバッテリーの寿命が短くなるのを防止でき、かつ、ロッドの上昇中にモータポンプが停止することもないので、着座者を驚かしたり施術者が戸惑ったりするのを防止できる等の効果を有するものである。
【図面の簡単な説明】
【００１１】
【図１】本発明に係る理美容椅子等の昇降装置の操作杆を踏んでいない状態の断面図である。
【図２】操作杆を踏み込んでスイッチをオン状態として油圧シリンダのロッドを上昇させた断面図である。
【図３】図２の要部を拡大した断面図である。
【図４】操作杆を最終位置まで踏み込みスイッチがオフ状態として油圧シリンダのロッドを下降させた断面図である。
【図５】バッテリーの過放電を防止するための一実施例を示すブ回路ロック図である。
【発明を実施するための形態】
【００１２】
以下、本発明に係る理美容椅子等の昇降装置の実施例を図１〜４と共に説明する。
先ず、足踏み式昇降装置について説明するに、１はハウジング２に対して回動自在に軸支され、施術者が足で踏み込むことで回動する操作杆、３は該操作杆１と共に回動する押圧杆、４は前記操作杆１を踏み込んで押圧杆３を下方に回動するとピストンロッド４１が下降してシリンダ４４内に貯留されている油が、後述する逆止弁部材６を介して昇降用シリンダ７に供給する足踏みポンプである。
【００１３】
前記足踏みポンプ４は、押圧杆３を被施術者が前記操作杆１を踏み込み押圧杆３を介してスプリング４２のバネ力に抗して押下されるピストンロッド４１と、該ピストンロッド４１に一体的に形成されたピストン４３と、該ピストン４３が収容され、前記ピストンロッド４１が下降すると下部に貯留さている油を排出し、また、被施術者が操作杆１から足を離してスプリング４２のバネ力で上昇すると油タンク５内の油を吸引するシリンダ４４とから構成されている。なお、足踏みポンプ４は油タンク５内に収容されている。
【００１４】
前記シリンダ４４には前記油タンク５内に開口する油排出細孔４４ａが形成され、また、前記ピストン４３には前記油排出細孔４４ａと選択的に連通する連通細孔４３ａが形成されると共に上端が前記連通細孔４３ａと連通し、下端が底面まで貫通した縦油排出孔４３ｂが形成されている。また、前記縦油排出孔４３ｂにはピストン４３の下面より下部に突出する制御管４５が一体的に形成されている。
【００１５】
なお、４６はピストン４３の上昇に伴って上昇し、油タンク５よりの油を後述する縦孔６１および斜め連通孔６３を介してシリンダ４４内に吸引可能とするバルブシートである。また、バルブシート４６には前記制御管４５が隙間を介して貫通する孔が形成されている。
【００１６】
前記ハウジング２における油タンク５の下端には逆止弁部材６が水密状態で取付けられている。該逆止弁部材６には前記油タンク５の底面と連通する縦孔６１が形成され、かつ、縦孔６１内には油中の塵埃を除去するための網６１ａが収容されている。
【００１７】
また、前記シリンダ４４の下部に位置する部分には弁座６２ａを有する弁体６２が形成され、該弁体６２には前記制御管４５が下降することでスプリング６２ｂのバネ力に抗して下降する逆止弁であるボール６２ｃが収容されている。さらに、前記縦孔６１と連通し、前記シリンダ４４の下面と連通する斜め連通孔６３が形成されている。また、前記弁体６２には前記ボール６２ｃが配置されている孔と連通する縦孔６２ｄが形成さている。
【００１８】
７は昇降杆７１の上部に理美容椅子の座部分が回転自在に軸支される昇降用シリンダにして、シリンダ７２における下部油室７３が前記逆止弁部材６に前記シリンダ４と同様に埋め込まれている。そして、前記下部油室７３は前記縦孔６２ｄと一端が連通する斜め孔６２ｅの他端が接続されている。
【００１９】
そして、昇降用シリンダ７の前記下部油室７３と連通する油吸入孔７４には、バッテリーによって駆動するモータポンプ８の油排出口側と逆止弁８１を介して接続され、また、モータポンプ８の吸入側は前記逆止弁部材６における縦孔６１と連通する油排出孔６１ｂと接続されている。
【００２０】
次に、前記した構成に基づいて操作杆１を踏み込み昇降用シリンダ７のロッド７１を上昇させ座部を上昇させる動作について説明する。
図１は昇降用シリンダ７のロッド７１が下降した初期状態を示し、この状態からロッド７１の上端に取付けられている座部に被施術者を着座させ施術を行なうために所望の高さ位置まで上昇させるには、操作杆１を踏み込むと押圧杆３が回動して足踏みポンプ４のピストン４３を下降させる。なお、操作杆１の踏み込み量としては、ピストン４３が下降させた状態において制御管４５によってバネ付勢されたボール６２ｃを押し下げない位置までとする。
【００２１】
前記ピストン４３が下降するとバルブシート４６はシリンダ４４の下部に貯留し、かつ、ピストン４３の下降によって発生する油圧によって弁体６２の上面に押しつけられるので、連通孔６３に通じる弁体６２の開口部が遮断され前記貯留している油は縦孔６１を介して油タンク６に戻ることはない。
【００２２】
そして、シリンダ４４の下部に貯留している油はバルブシート４６と制御管４５との隙間からボール６２ｃを押し下げながら縦孔６２ｄおよび斜め孔６２ｅを介して昇降用シリンダ７の下部に流れロッド７１を上昇する（図２、図３参照）。従って、ロッド７１の上部に取付けられている座部は上昇する。
【００２３】
次いで、操作杆１より足を離すとスプリング４２によってピストン４３が上昇するので、該上昇に伴ってシリンダ４４の下側の空間が負圧状態となる。この負圧力によってバルブシート４６は上昇して弁体６２の開口部を開口することとなり、従って、油タンク５内の油は縦孔６１から連通孔６３を介してシリンダ４４の下側空間内に流れ込み貯留され図１の状態に戻る。
【００２４】
以下、同様に操作杆１を踏み込むと足踏みポンプ４より油が昇降用シリンダ内に供給され、次いで、足を操作杆１から離すと油タンク５内の油がシリンダ４４の下側空間内に流れ込み貯留されるので、座部を所望の高さ位置に達するまで繰り返し行なう。
【００２５】
次に、施術が終了するなどにおいて、座部を下降させるための動作について説明するに、この場合には、操作杆１を最下降位置まで踏み込んでピストン４３を最下降位置まで下降させると、制御管４５がボール６２ｃをスプリング６２ｂのバネ力に抗して押し下げるので、ボール６２ｃによって弁座６２ａが閉塞されていた弁体６内に入り込んでいる制御管４６の下端が開口される。
【００２６】
また、ピストン４３が最下降位置まで下降した状態にあっては、ピストン４３に形成されている連通細孔４３ａがシリンダ４４に形成されている油排出細孔４４ａと連通した状態となっている。
【００２７】
この状態において着座している被施術者の荷重および椅子の荷重によって昇降用シリンダ７の下部油室７３内に貯留されている油は、斜め孔６２ｅ、縦孔６２ｄ、制御管４５、連通孔４３ｂ、油排出細孔４４ａを介して油タンク５内に戻され、ロッド７１は下降を開始し座部を最下降位置まで下降させることができる。
【００２８】
前記下降途中において、ロッド７１の下降動作中において操作杆１より足を離すとピストン４３がスプリング４２のバネ力によって上昇するので、連通孔４３ｂと油排出細孔４４ａの位置がずれると共にボール６２ｃはスプリング６２ｂのバネ力によって弁座６２ａに接触するのでロッド７１の下降を停止させることが可能となる。
【００２９】
以上の説明は操作杆１を被施術者が操作することで座部を上昇させたり下降させた場合の説明であるが、本発明はこの足踏み式椅子にモータポンプ８を接続してモータポンプ８より供給される油圧によって座部を上昇、下降させる装置について説明する。
【００３０】
この実施例では前記操作杆１の回転軸部より延長された操作部１１が形成され、この操作部１１に対応してマイクロスイッチ９（以下、スイッチという）が前記ハウジング２に取付けられた取付板（図示せず）に取付けられている。そして、このスイッチ９は昇降用シリンダ７のロッド７１を上昇させる位置まで操作杆１を踏み込んだ位置でオン状態となってモータポンプ８を駆動させる構造となっている。
【００３１】
また、モータポンプ８が駆動することで逆止弁８を介して油排出口側から排出される圧力油は昇降用シリンダ７における下部油室７３に連通する油吸入孔７４に接続され、また、モータポンプ８の油戻り口は前記縦孔６１と連通する油排出孔６１ｂが接続されている。
【００３２】
次に、動作について説明するに、操作杆１を踏み込んでいない図１の状態にあっては、スイッチ９が押されないので昇降用シリンダ７のロッド７１は下降状態にある。
【００３３】
この状態において座部に被施術者を着座させ、施術者が操作杆１を踏み込み操作部１１がスイッチ９の突起を押すと該スイッチ９はオン状態となるので、バッテリーの電圧によってモータポンプ８に通電が行なわれ油タンク５内の油が縦孔６１、油排出孔６１ｂを介して吸引される。該吸引された油はモータポンプ８、逆止弁８１を介して油吸入孔７４より昇降用シリンダ７の下部油室７３に流れるので、ロッド７１は操作杆１を踏み込んでスイッチ９を操作している間だけ上昇する。
【００３４】
そして、施術者が希望する高さ位置まで被施術者を上昇させた位置において操作杆１より足を離すと操作杆１は上方に回動してスイッチ９がオフ状態となるので、モータポンプ８の通電が遮断されロッド７１の上昇は停止する。
【００３５】
次に、ロッド７１の下降動作について説明するに、前記した足踏み用椅子と同様に操作杆１を最下降位置まで押し下げると、前記した動作と同様な動作によってロッド７１は下降する。この時、モータポンプ８は停止状態となっているので、油タンク５と連通している油排出孔６１ｂからの油はモータポンプ８の流入口までしか流れることがなく、従って、前記した足踏み用椅子の動作と全く同じ動作で昇降用シリンダ７における下部油室７３に滞留している油は油タンク５内に戻されることとなる。
【００３６】
前記したバッテリーによるロッド７１の動作が行なわれると、徐々に該バッテリーの容量が低下する。通常、バッテリーは過放電状態が繰り返し行なわれると電池寿命が短くなる。また、ロッド７１の上昇中にバッテリー電圧が低下するとモータポンプが停止してロッド７１が急に停止することとなり、着座者を驚かしたり施術者が戸惑ったりすることとなる。
【００３７】
そこで、本発明にあっては、例えば、１２ボルト用のバッテリー電圧が予め設定した電圧、例えば、８ボルト以下となった時には操作杆１を踏み込んでスイッチ９がオン状態となってもモータポンプ８への通電を阻止することで、バッテリーの過放電を防止するようにした。
【００３８】
以下、バッテリー過放電防止回路の一実施例を図５と共について説明する。
図５においてＢはバッテリー、ＢＶは該バッテリーＢの電圧を常時検出し、該バッテリーＢの電圧が予め設定した電圧（例えば、８ボルト以下に低下したことを検出すると内蔵されているリレーの接点ＳＷを閉成するバッテリー電圧検出回路である。
【００３９】
次に、図５の動作について説明するに、バッテリー電圧検出回路ＢＶがバッテリーＢの電圧が８ボルト以上であると判断するとリレー接点ＳＷをオン状態で保持している。この状態において操作杆１を踏み込んでスイッチ９がオン状態となると油ポンプ８に通電を行ない、前記した図１〜４の動作が開始される。
【００４０】
また、バッテリー電圧検出回路ＢＶがバッテリーＢの電圧が８ボルト以下であると判断するとリレー接点ＳＷをオフ状態とするので、この状態において操作杆１を踏み込んでスイッチ９がオン状態としても油ポンプ８に通電が行なわれず、従って、モータポンプ８による昇降用シリンダ７のロッド７１の上昇は行なえない状態であることから、足踏みポンプによるロッド７１の上昇操作を行なうこととなる。
【００４１】
このように、バッテリーＢの電圧が低下している時にはモータポンプ８による操作が行なえなくなることで、バッテリーは過放電状態が繰り返し行なわれると電池寿命が短くなるのを防止できると共にロッド７１の上昇中にバッテリー電圧が低下してモータポンプが停止してロッド７１が急に停止することで着座者を驚かしたり施術者が戸惑ったりすることを防止できる。
【００４２】
なお、図５の過放電防止回路は一実施例であって、ＣＰＵを用いる等してバッテリーＢの電圧を常時検出し、該バッテリーＢの電圧が予め設定した電圧以下となった時にモータポンプ８とバッテリーＢとの閉回路を開放することで、操作杆１の踏み込みによってオン・オフするスイッチ９がオン状態となってもモータポンプ９を駆動しないようにする全ての回路を含むものである。
【符号の説明】
【００４３】
１          操作杆
４          足踏みポンプ
４１        ピストンロッド
６１ｂ      油排出孔
５          油タンク
７          昇降用シリンダ
７１        ロッド
７４        油吸入孔
【図１】
2011245204.tif 000003
【図２】
2011245204.tif 000004
【図３】
2011245204.tif 000005
【図４】
2011245204.tif 000006
【図５】
2011245204.tif 000007